(57)【要約】      （修正有）【課題】原稿撮像装置において、撮像時の行動に合わせて詳細な制御を行うことで省電力化を図る。【解決手段】原稿を撮像する撮像手段と、撮像画像を表示する表示手段と、原稿切替を判定する判定手段と、原稿切替までの区間に対しては第１の電力設定で、原稿切替から撮像までの区間に対しては前記第１の電力設定と異なる電力設定で、前記撮像手段および前記表示手段の少なくとも一方を制御する制御手段と、を有する。【選択図】図６
2014225778.tif 000002
【特許請求の範囲】
【請求項１】
原稿を撮像する撮像手段と、
撮像画像を表示する表示手段と、
原稿切替を判定する判定手段と、
原稿切替までの区間に対しては第１の電力設定で、原稿切替から撮像までの区間に対しては前記第１の電力設定と異なる電力設定で、前記撮像手段および前記表示手段の少なくとも一方を制御する制御手段と
を有することを特徴とする原稿撮像装置。
【請求項２】
前記原稿撮像装置は、撮像可能を判定する撮像可能判定手段をさらに有し、
前記制御手段は、原稿切替から撮像可能と判定されるまでの区間に対しては第２の電力設定で、撮像可能と判定されるから撮像までの区間に対しては前記第２の電力設定と異なる第３の電力設定で、前記撮像手段および前記表示手段の少なくとも一方を制御することを特徴とする請求項１に記載の原稿撮像装置。
【請求項３】
前記撮像可能判定手段は、撮像画像におけるエッジ量の時間変化に基づいて撮像可能を判定することを特徴とする請求項２に記載の原稿撮像装置。
【請求項４】
前記撮像可能判定手段は、撮像画像における露出オーバーまたはアンダーの時間変化に基づいて撮像可能を判定することを特徴とする請求項２に記載の原稿撮像装置。
【請求項５】
前記撮像手段は、オートフォーカス手段を有し、
前記撮像可能判定手段は、前記オートフォーカス手段によって測定した焦点距離、被写体距離、または画像コントラスト比の時間変化に基づいて撮像可能を判定することを特徴とする請求項２に記載の原稿撮像装置。
【請求項６】
前記判定手段は、撮像画像におけるエッジ量の時間変化に基づいて原稿切替を判定することを特徴とする請求項１から５のいずれかに記載の原稿撮像装置。
【請求項７】
前記判定手段は、撮像画像における所定値以上の面積を持つ原稿枠の角点の時間変化に基づいて原稿切替を判定することを特徴とする請求項１から５のいずれかに記載の原稿撮像装置。
【請求項８】
前記判定手段は、前記撮像手段の姿勢変化を検出することにより原稿切替を判定することを特徴とする請求項１から５のいずれかに記載の原稿撮像装置。
【請求項９】
電力設定は、前記表示手段の画面輝度、前記表示手段の表示方法、および前記撮像手段のフレームレートのうち少なくとも１つを含むことを特徴とする請求項１から８のいずれかに記載の原稿撮像装置。
【請求項１０】
前記表示手段の表示方法は、ワイヤー表示を含むことを特徴とする請求項９に記載の原稿撮像装置。
【請求項１１】
前記制御手段は、１枚の原稿に係る各区間の電力設定の組み合わせである電力設定シーケンスを複数保存しており、保存している複数の電力設定シーケンスのうちから適用する電力設定シーケンスを取得することを特徴とする請求項１から１０のいずれかに記載の原稿撮像装置。
【請求項１２】
１枚目の原稿に係る電力設定シーケンスは２枚目以降の原稿に係る電力設定シーケンスと異なることを特徴とする請求項１１に記載の原稿撮像装置。
【請求項１３】
前記制御手段は、撮像形態に応じて異なる電力設定シーケンスを取得することを特徴とする請求項１１に記載の原稿撮像装置。
【請求項１４】
前記制御手段は、前記撮像手段のカメラ情報および前記撮像手段が固定されているか否かに基づいて前記撮像形態を特定することを特徴とする請求項１１に記載の原稿撮像システム。
【請求項１５】
原稿を撮像する撮像手段と、撮像画像を表示する表示手段とを有する原稿撮像装置が実行する原稿撮像方法であって、
原稿切替を判定する判定ステップと、
原稿切替までの区間に対して第１の電力設定で、原稿切替から撮像までの区間に対して前記第１の電力設定と異なる電力設定で前記撮像手段および前記表示手段の少なくとも一方を制御する制御ステップと
を含むことを特徴とする原稿撮像方法。
【請求項１６】
コンピュータを請求項１から１４のいずれかに記載の原稿撮像装置として機能させるためのプログラム。
【請求項１７】
原稿を撮像する撮像手段と、
撮像画像を表示する表示手段と、
原稿切替を判定すると、前記表示手段の画面輝度を第１の値に設定し、撮像可能を判定すると、前記表示手段の画面輝度を第１の値より高い第２の値に設定し、撮像が行われた後に、前記表示手段の画面輝度を第１の値より低い第３の値に設定する制御手段と
を有することを特徴とする原稿撮像装置。
【発明の詳細な説明】
【技術分野】
【０００１】
本発明は、原稿撮像装置および原稿撮像方法に関する。
【背景技術】
【０００２】
近年、スマートフォンやタブレット、ノートＰＣといった高度な情報処理機能と通信機能を持つ携帯端末が普及し、通常、デジタルカメラ機能も有している。そして、そのような携帯端末のデジタルカメラ機能をスキャナのように用いて紙媒体の原稿を撮像し、携帯端末のメモリ上に画像データとして保存する使い方がされるようになってきた。
【０００３】
しかし、携帯端末のデジタルカメラ機能を用いた原稿撮像は、ライブビュー機能を用いた撮像となるため多くの電力を消費する。携帯端末は、複合機やスキャナとは異なり、バッテリー駆動であることに加えて、原稿撮像が主用途ではないことから、無駄な電力消費を抑える制御が重要になっている。
【０００４】
表示部による電力消費を抑える制御として、特許文献１に記載の技術が知られている。特許文献１では、画像形成装置において外部から画像データを受け付けることをトリガーに、装置の一部分の動作モードを切り替えることにより、省電力化を図っている。具体的に、特許文献１の画像形成装置は複数の消費電力状態の制御モードを持ち、外部機器から印刷のための画像データを受けたとき、印刷に必要な印刷部のみ通常モードに復帰し、印刷に必要ない表示部等は消費電力を抑えたままの状態を維持するようにしている。
【先行技術文献】
【特許文献】
【０００５】
【特許文献１】特開２０１１−１９１５６６号公報
【発明の概要】
【発明が解決しようとする課題】
【０００６】
しかしながら、特許文献１は、処理に必要ない処理部分を省電力化する技術であり、処理に必要な処理部分を省電力化することは考慮されていない。例えば、ライブビュー機能を用いた原稿撮像であれば、処理に必要な部分は表示部と撮像部であるが、特許文献１の技術では、処理に必要な部分の省電力化を図ることができない。
【０００７】
本発明は、上述の問題を鑑みてなされたものであり、携帯端末で原稿撮像する際に、撮像時の行動に合わせて詳細な制御を行うことで、省電力化を図ることを目的とする。
【課題を解決するための手段】
【０００８】
本発明の原稿撮像装置は、原稿を撮像する撮像手段と、撮像画像を表示する表示手段と、原稿切替を判定する判定手段と、原稿切替までの区間に対しては第１の電力設定で、原稿切替から撮像までの区間に対しては前記第１の電力設定と異なる電力設定で、前記撮像手段および前記表示手段の少なくとも一方を制御する制御手段とを有することを特徴とする。
【発明の効果】
【０００９】
原稿撮像において利便性を落とすことなく、不必要な部分の電力消費を抑える制御を行うことで、消費電力を抑制することができる。
【図面の簡単な説明】
【００１０】
【図１】携帯端末１０１の外観の例を示す図である。
【図２】携帯端末１０１による原稿撮像形態の例を示す図である。
【図３】携帯端末１０１のシステム構成図の例を示す図である。
【図４】原稿撮像の基本制御を示すフローチャートである。
【図５】原稿撮像システムにおけるＵＩの一例を示す図である。
【図６】電力設定切替を含む原稿撮像の制御を示すフローチャートである。
【図７】消費電力に関わる設定項目と設定範囲の例を示す図である。
【図８】電力設定の組み合わせ例を示す図である。
【図９】ワイヤー表示の例を示す図である。
【図１０】電力制御シーケンスの一例を示す図である。
【図１１】電力制御シーケンスの一例を示す図である。
【図１２】電力制御設定ＵＩを示す図である。
【図１３】電力制御設定ＵＩを示す図である。
【図１４】撮像形態設定ＵＩを示す図である。
【図１５】撮像形態の自動特定のためのフローチャートである。
【発明を実施するための形態】
【００１１】
以下、本発明を実施するための最良の形態について図面を参照して説明する。
【００１２】
［実施形態１］
＜携帯端末の外観＞
図１に本実施形態において利用する携帯端末１０１の外観を示す。図１（ａ）は、携帯端末１０１の表面を示す図である。表面には、タッチ操作が可能な表示部１０２、操作ボタン１０３、前面カメラ１０４が配置されている。図１（ｂ）は携帯端末１０１の裏面を示す図である。裏面には、背面カメラ１０５が配置されている。なお、本実施形態の原稿撮像装置は、ここで示す携帯端末１０１に限定されず、ライブビューのデジタルカメラ機能を持つ端末装置ならば利用可能である。すわなち、スマートフォンや携帯電話、ノートＰＣ、デジタルカメラのいずれであっても構わない。
【００１３】
＜携帯端末による原稿撮像システムの撮像形態例＞
図２に携帯端末１０１による原稿撮像システムの撮像形態例を示す。図２（ａ）は、携帯端末１０１を手に持ち、背面カメラ１０５で原稿２０１を上方から撮像している例である。図２（ｂ）は、携帯端末１０１を台２０２に立て掛け、背面カメラ１０５で原稿２０１を撮像している例である。図２（ｃ）は、携帯端末１０１を台２０２に立て掛け、前面カメラ１０４で手に持った原稿２０１を撮像している例である。
【００１４】
また、原稿が複数枚ある場合は、原稿を手で差し替えて撮像を行うことができる。図２（ａ）の撮像形態であれば、あらかじめ原稿を並べておき、携帯端末１０１をスライド移動させて撮像を行うこともできる。
【００１５】
なお、本実施形態は、これらの撮像形態例に限定されず、デジタルカメラ機能を用いて、書籍・ドキュメント・名刺・カード・立体物など、複数の被写体を切り替えて撮像する利用方法であればよい。
【００１６】
＜システム全体構成＞
図３に、携帯端末１０１のシステム全体構成を示す。図３において、ＣＰＵ３０１、ＲＡＭ３０２、およびＲＯＭ３０３がデータバス３１１を介してプログラムやデータを送受信する。また、データバス３１１には、表示部１０２、前面カメラ１０４、背面カメラ１０５、操作部コントローラ３０８、画像処理装置３０９、モーションセンサ３１０、ＵＳＢコントローラ３０４、およびＬＡＮコントローラ３０６が接続されている。操作部コントローラ３０８は、タッチ操作可能な表示部１０２と操作ボタン１０３から操作指示を受け付ける。ＬＡＮコントローラ３０６は無線ＬＡＮ装置３０７に接続されており、無線ルータ（図示せず）とデータを送受信することができる。ＵＳＢコントローラ３０４には外部記憶装置３０５が接続されており、画像データや各種プログラムを格納することができる。モーションセンサ３１０は、３軸加速度センサ、電子コンパス、３軸角速度センサを搭載しており、公知の技術を利用することにより、携帯端末１０１の姿勢や移動を検出することが可能である。なお、ＣＰＵ３０１は、ＲＯＭ３０３が保持するプログラムに基づき、これらの携帯端末１０１内の構成要素の制御を行う。
【００１７】
＜携帯端末による原稿撮像システムの基本制御フロー＞
図４は、原稿撮像システムの基本制御フローの一例を示すフローチャートである。本フローチャートは、ＲＯＭ３０３に格納されたプログラムに基づいて、ＣＰＵ３０１が実行するものとする。
【００１８】
ステップＳ４０１において、ＣＰＵ３０１が操作部コントローラ３０８からの指示により、原稿撮像システムを起動する。
【００１９】
ステップＳ４０２において、ＣＰＵ３０１が原稿撮像を開始しシステムの初期化を行う。例えば、図５（ａ）に示すタッチ操作可能な表示部１０２に表示された撮像開始ボタン５０１の押下を操作部コントローラ３０８が受け付けると、ＣＰＵ３０１は原稿撮像を開始しシステムの初期化を行う。なお、撮像が開始されると、図５（ａ）の撮像開始ボタン５０１は、図５（ｂ）の撮像終了ボタン５０３に変わる。
【００２０】
ステップＳ４０３において、ＣＰＵ３０１が原稿撮像の終了判定を行う。撮像終了ボタン５０３または操作ボタン１０３の押下（撮像終了指示）を操作部コントローラ３０８が受け付けると、ＣＰＵ３０１は撮像終了と判定し、図４のフローチャートは終了となる。撮像終了指示がない場合は、ステップＳ４０４に進む。なお、操作ボタン１０３を押下した場合は、終了ではなく一時中断として制御しても良い。
【００２１】
ステップＳ４０４において、ＣＰＵ３０１が原稿切替判定および撮像可能判定を行う。原稿切替判定および撮像可能判定の詳細は後述する。ステップＳ４０４で原稿切替がない、または、撮像可能でないと判定した場合は、処理はステップＳ４０３に戻る。原稿切替があり、撮像可能であると判定した場合は、処理はステップＳ４０５に進む。なお、起動後１枚目の原稿撮像では、直前の原稿撮像は存在しないので、原稿切替判定を行わないか、原稿切替があったものとして動作させることとする。また、ステップＳ４０４において、図５（ａ）、図５（ｂ）に示す強制撮像ボタン５０２の押下を操作部コントローラ３０８が受け付けた場合は、原稿切替判定および撮像可能判定を行わずにステップＳ４０５に進む。
【００２２】
ステップＳ４０５において、ＣＰＵ３０１が前面カメラ１０４または背面カメラ１０５を介して撮像を行い、撮像した画像をＲＯＭ３０３や外部記憶装置３０５に書き込む。そして、次の原稿に切り替えて連続撮像するため、処理はステップＳ４０３に戻り、再びステップＳ４０３乃至ステップＳ４０５の処理をループする。
【００２３】
＜原稿切替判定＞
以下、原稿切替判定の詳細について説明する。ライブビューによる連続撮像画像から特徴量の時間変化に基づいて、原稿切替が起きたか判定する。下記にいくつか方法を述べるが、本実施形態はこれらの手法に限るものでない。また、これらの手法の組合せであってもよい。
【００２４】
原稿切替判定手法１は、連続撮像画像におけるエッジ量の時間変化を追うことにより原稿切替判定を行う。エッジ量の大きな変化を検出し、その後、一定量以上のエッジを持った状態で収束（安定）した場合、原稿切替が起きたと判定する。
【００２５】
原稿切替判定手法２は、連続撮像画像における所定値以上の面積を持つ原稿枠の角点を検出し、その時間変化を追うことにより原稿切替判定を行う。検出した所定値以上の面積を持つ原稿枠の角点の数や位置が変化した後、再度原稿枠の検出が安定して可能になった場合、原稿切替が起きたと判定する。
【００２６】
原稿切替判定手法３は、図２（ａ）のように携帯端末を手に持ち原稿を撮像する場合の原稿切替判定手法であり、携帯端末の姿勢変化を判定することにより原稿切替判定を行う。携帯端末を振る、スライドさせる等することによる携帯端末の大きな姿勢変化（角速度・加速度・傾き・位置）をモーションセンサ３１０を介して検出する。この姿勢変化が収束することで原稿切替指示を受けたと判定する。
【００２７】
＜撮像可能判定＞
撮像可能判定の詳細について説明する。ライブビューによる連続撮像画像から特徴量の時間変化に基づいて、撮像可能か判定する。下記にいくつか方法を述べるが、本実施形態はこれらの手法に限るものでない。また、これらの手法の組合せであってもよい。
【００２８】
撮像可能判定手法１は、連続撮像画像における所定値以上の面積を持つ原稿枠の角点を検出し、時間変化を追うことにより撮像可能判定を行う。原稿枠の角点が、複数フレーム間で連続して近傍位置に存在している場合、撮像可能と判定する。
【００２９】
撮像可能判定手法２は、連続撮像画像における露出オーバー／アンダーを検出し、時間変化を追うことにより撮像可能判定を行う。露出オーバー／アンダーの塊が一定量以下で複数フレーム間安定している場合、撮像可能と判定する。
【００３０】
撮像可能判定手法３は、連続撮像における焦点距離と被写体距離または画像コントラスト比の時間変化に基づいて、撮像可能判定を行う。本実施形態のデジタルカメラ機能に搭載されているオートフォーカス機能（図示せず）により得た焦点距離と被写体距離または画像コントラスト比情報が、原稿撮像に適した範囲で複数フレーム間で安定している場合、撮像可能と判定する。ここで、オートフォーカス機能は、コントラスト比や赤外線の送受信タイミングなどによってピントの合った状態を自動的に検出し、これにより焦点距離や被写体距離を測定する。また、本実施形態において利用するオートフォーカス機能は一例であり、焦点距離や被写体距離を測定できる方法ならば限定はしない。
【００３１】
＜電力設定切替が可能な原稿撮像システムの制御フロー＞
次に、ＣＰＵ３０１が行う本実施形態の消費電力抑制制御のための電力設定切替を図４の基本制御フローに対して加えたものについて説明する。なお、説明が重複するステップについては、省略する。
【００３２】
図６は、原稿撮像システムの消費電力抑制制御フローの一例を示すフローチャートである。本フローチャートは、ＲＯＭ３０３に格納されたプログラムに基づいて、ＣＰＵ３０１が実行するものとする。なお、細やかな消費電力抑制制御を可能とするため、図４と異なり、原稿切替判定と撮像可能判定を異なるステップとして記載している。しかし、原稿切替判定と撮像切替判定の間で電力設定を変える必要がなければ、ステップを分ける必要は特にない。ステップＳ４０４の原稿切替判定と撮像可能判定が分離しただけなので、原稿切替判定ステップＳ６０１と、撮像可能判定ステップＳ６０３の詳細説明は省略する。また、この他の制御フローであっても、本発明の趣旨に逸脱しない限り良いものとする。
【００３３】
ステップＳ６０１において、ＣＰＵ３０１が原稿切替判定を行う。図４で説明した通り、１枚目の原稿撮像では直前の原稿がないため、ステップＳ６０１は原稿切替が存在したものとしてステップＳ６０２に進む。２枚目以降の原稿撮像では、原稿切替判定の結果に従う。
【００３４】
ステップＳ６０２において、原稿切替〜撮像可能の区間の電力設定として、ＣＰＵ３０１が第１の電力設定を行う。
【００３５】
ステップＳ６０３において、ＣＰＵ３０１が撮像可能判定を行い、撮像可能と判定された場合にステップＳ６０４に進む。
【００３６】
ステップＳ６０４において、撮像可能〜撮像の区間の電力設定として、ＣＰＵ３０１が第２の電力設定を行う。そして、ステップＳ４０５で撮像した後、処理はステップＳ６０５に進む。
【００３７】
ステップＳ６０５において、撮像〜原稿切替の区間の電力設定として、ＣＰＵ３０１が第３の電力設定を行う。なお、上記、第１〜３の電力設定の詳細は後述する。
【００３８】
このように、本原稿撮像システムは、原稿切替判定のステップから、撮像可能判定のステップ、撮像のステップまでをループする制御になっており、各区間で電力設定を切り替えることができる。
【００３９】
＜消費電力を抑制する制御＞
本実施形態のカメラによる複数枚の原稿の撮像は、一般写真の撮像に比べて限定された撮像条件で使われる。撮像条件は以下のとおりである。  
・カメラ：固定位置。  
・被写体（原稿）：静止物。ユーザが原稿を差し替える。  
または、図２（ａ）の撮像形態で携帯端末１０１をスライド移動させて撮像を行う場合に、撮像条件は以下のとおりである。  
・カメラ：位置をスライドさせる。  
・被写体（原稿）：静止物。ユーザが原稿をあらかじめ並べて配置する。
【００４０】
このような中で、通常のライブビュー制御を用いると、撮像・表示無駄が多く発生する。そこで、本実施形態では、撮像制御を細かく区切り、区間ごとに撮像および表示の少なくとも一方の制御を変えることで、無駄を削減して消費電力を抑える。
【００４１】
＜電力設定＞
図７は、消費電力に関わる撮像・表示等の具体的な設定項目と設定範囲の一例を示す。
【００４２】
画面輝度は、表示部１０２の設定であり、携帯端末１０１の画面設定値を使うか、または原稿撮像システムだけで使う値として０〜１００％を設定することができる。
【００４３】
表示方法は、連続撮像している画像を表示部１０２に、どのように表示するか示している。図７に示すように、設定可能な表示方法は、プレビュー、ワイヤー表示およびＲＧＢ単色表示を含む。プレビュー設定は、撮像中の画像をライブビューとしてそのまま表示する。ワイヤー表示設定は、図９に示すように、原稿枠９０１のような一定以上の長さを持つエッジのみを表示することで、表示部１０２の発光量を抑える。なお、このとき、ワイヤー表示で露出オーバー／アンダーを判定できるように、撮像中の画像から露出オーバー／アンダー部分の解析を行い、露出オーバー／アンダー部分の塊サイズを円の大きさと関係させた円９０２で表示させても良い。ＲＧＢ単色表示は、表示部１０２はＲＧＢの３色ＬＥＤ光源で表現されているため、単色化して表示することで発光量を抑える。
【００４４】
この他、表示方法では、画像の表示サイズを縮小することで、発光量を抑えても良い。また、画面輝度だとＵＩボタンを含め、表示内容の全ての明るさが変わってしまうので、ライブビューとして撮像した画像信号に対するＧａｉｎ設定が可能な項目があっても良い。その場合、例えば、Ｖｏｕｔ=Ｇａｉｎ＊Ｖｉｎ  （Ｇａｉｎ＝０．０〜１．０）を行い、表示部１０２に画像表示を行う。また、ＵＩボタンについても、Ｇａｉｎをかけて表示したり、区間別に表示・非表示の切替が出来てもよい。
【００４５】
撮像のフレームレートは、０〜３０ｆｐｓを設定することができる。
【００４６】
図８は、図７の各項目に関する設定組み合わせの一例である。図示していないが、ユーザが新規に設定モードを追加し、各項目に対して任意に値を変更することもできる。
【００４７】
＜電力設定シーケンス＞
次に、利便性を落とさず消費電力を抑える原稿撮像を実現するために、図６の制御フローの第１〜３の電力設定の処理ステップに対して、図８の設定モードをどう割当てるか説明する。
【００４８】
図１０は、第１〜３の電力設定の処理ステップに対して、図８の設定モードを割当てた電力設定シーケンスの一例である。原稿切替〜撮像可能の区間、撮像可能〜撮像の区間、撮像〜原稿切替の区間のそれぞれでユーザが実現したいことは異なる。本実施形態において、区間ごとの要望に応じて撮像中のフレームレートと表示部１０２の画面輝度や表示方法を変えることで、利便性を落とさず消費電力を抑えている。
【００４９】
以下に、一例としてあげた、図１０の電力設定シーケンスと各区間の要望例について説明する。
【００５０】
原稿切替〜撮像可能の区間は、原稿の中身の写り具合まで確認しているわけではなく、原稿の撮像ポジションが適切になるようポジション調整を行う区間となる。大枠の原稿移動を行うため、枠が見える程度に暗めでも良いが、移動の調整を行うにあたって、動きがスムーズな表示とするためフレームレートは大きく下げ過ぎないようにしている。
【００５１】
撮像可能〜撮像の区間は、原稿の中身の画質確認や、撮像に向けてコントラスト比を用いたピント合わせ（ＡｕｔｏＦｏｒｃｕｓ）をスムーズに行うために、画面輝度・フレームレートは高めに設定している。
【００５２】
撮像〜原稿切替の区間は、原稿切替作業を行う区間となる。そのため、連続撮像・表示の必要性は低く、画面輝度・フレームレートを大きく落としている。
【００５３】
このように、各区間を制御することで、一律制御のときより、消費電力を抑えることができる。なお、区間の境界で、画面輝度や表示方法などが瞬間的に切り替わると、ちらつきなどが発生することから、段階的に輝度を変化させたり、表示方法の切替ではクロスフェードさせるなど行ってもよい。
【００５４】
図１１は、図１０の電力設定シーケンスを含む電力設定シーケンスのリストであり、これらの電力設定シーケンスはプリセットで複数保存されているものとする。図示していないが、ユーザが新規にシーケンス設定を追加し、各区間に対して任意に設定モードを変更することもできる。
【００５５】
図１２は、電力設定シーケンスを設定するためのＵＩ画面、電力制御設定ウィンドウ１２０１である。ワンタッチ復帰１２０２は、ＯＮ設定にしておくと、表示部１０２に表示中のボタンＵＩ以外の位置をタッチすることで、図６の制御フローに割り込み制御が入り、電力設定状態を強制的に標準のシーケンス状態に復帰させることができる。なお、この強制状態は、一度撮像終了されるまで、一定時間が経過するまで、次の撮像が完了するまで、など、いずれかの状態まで継続する。電力制御１２０３は、図１１に記載の電力設定シーケンスのリストから適用する電力設定シーケンスを選択することができる。そして、選択した電力設定シーケンスに対応する各制御区間の設定が、区間設定１２０４に表示される。ここで、ポジション確認（原稿切替〜撮像可能の区間）のための電力設定、画質確認（撮像可能〜撮像の区間）のための電力設定、および原稿切替（撮像〜原稿切替の区間）のための電力設定は全てモードＡとなっている。また、区間設定１２０４では、図８の電力設定リストの中から選択することで設定を更新することもできる。そして、ＯＫボタン１２０５を押下することで電力制御設定１２０１の設定が確定する。
【００５６】
以上のように、本実施形態では、原稿撮像の基本制御フローを原稿切替・撮像可能・撮像で区間分けし、各区間で電力設定の切替制御を挟むことで、利便性を落とさず消費電力を抑制することができる。
【００５７】
［実施形態２］
実施形態１においては、原稿撮像の基本制御フローを原稿切替・撮像可能・撮像で区間分けして電力設定を切り替える電力設定シーケンスについて説明した。本実施形態では、電力設定シーケンスを１枚目の撮像までと、それ以降で、異なる設定にできる。
【００５８】
図２（ｂ）のように、携帯端末１０１を三脚などを含む台２０２で固定して原稿撮像を行う場合、１枚目の撮像でポジション調整を確定させた後は、同じような配置で原稿を差替えて利用するため、細かなポジション確認は行わなくてもよい場合が多い。このようなケースを想定し、本実施形態では、図１３に示すように、１ページ目の電力制御１３０１と２ページ目以降の電力制御１３０２を用意し、１ページ目の撮像と、それ以降で設定を分けられるようにしている。なお、１ページ目の電力制御１３０１は、１枚目の撮像までとしているため、原稿切替についての設定はグレーアウトするようにしている。これにより、１ページ目の電力制御１３０１と２ページ目以降の電力制御１３０２のどちらも、同じ図１１の電力設定シーケンスから選ぶことができ、設定の手間を省くことができる。
【００５９】
以上、本実施形態では、電力設定シーケンスの設定を１枚目の撮像までとそれ以降で分けることで、使い方に応じて消費電力をさらに抑制させることができる。
【００６０】
［実施形態３］
実施形態１においては、原稿撮像の基本制御フローを原稿切替・撮像可能・撮像で区間分けして電力設定を切り替える電力設定シーケンスについて説明した。本実施形態では、撮像形態に応じて、異なる電力制御シーケンス設定ができる。また、撮像形態を自動的に特定することもできる。
【００６１】
図２（ａ）〜図２（ｃ）など、撮像形態に応じて、制御区間に対する要望が異なる。例えば、携帯端末１０１を手に持って撮像するのか、固定させて撮像するのかでは、ポジション確認に対する要求レベルが異なる。
【００６２】
そこで、図１４に示すように撮像形態を選択する設定機能を設ける。電力制御設定（撮像形態）ウィンドウ１４０１では、撮像形態選択方式１４０２で手動／自動を切替えることができる。手動であれば、撮像形態のリスト１４０３から選び、太枠で囲んだ状態にする。なお、ダブルクリックすることで、各撮像形態に対して図１３のような電力設定シーケンスを設定できる。撮像形態選択方式１４０２が自動であれば、図１５に示すような処理フローで撮像形態を自動的に特定する。
【００６３】
ステップＳ１５０１において、ＣＰＵ３０１が前面カメラ１０４と背面カメラ１０５のどちらで撮像しているか（カメラ情報）判定する。ステップＳ１５０２において、ＣＰＵ３０１がモーションセンサ３１０によって検出された携帯端末１０１の姿勢変化、または、撮像中の連続画像内の特徴点変化から、携帯端末１０１が固定されているか判定する。これらの判定結果に基づき、撮像形態リストのうちいずれの撮像形態であるか自動的に判定する。そして、ＣＰＵ３０１が判定した撮像形態に応じて適用する電力設定シーケンスを取得する。
【００６４】
以上、本実施形態では、自動的に撮像形態を判定し、撮像形態に応じて電力制御シーケンスを設定できることで、利便性の高い消費電力抑制を行うことができる。
【００６５】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【図１】
2014225778.tif 000003
【図２】
2014225778.tif 000004
【図３】
2014225778.tif 000005
【図４】
2014225778.tif 000006
【図５】
2014225778.tif 000007
【図６】
2014225778.tif 000008
【図７】
2014225778.tif 000009
【図８】
2014225778.tif 000010
【図９】
2014225778.tif 000011
【図１０】
2014225778.tif 000012
【図１１】
2014225778.tif 000013
【図１２】
2014225778.tif 000014
【図１３】
2014225778.tif 000015
【図１４】
2014225778.tif 000016
【図１５】
2014225778.tif 000017